(57)【要約】【課題】ペイアウトベースがセットされたかどうかを確実に判断できる硬貨処理装置を提供する。【解決手段】硬貨処理装置は、本体前面に向かってスライド自在にペイアウトベース４を設け、収納された硬貨が払出口に導かれるものであって、ペイアウトベース４に偏倚可能に設けられた係合突起部５５と、硬貨処理装置本体側に形成され、係合突起部５５と係合することによってペイアウトベース４を硬貨処理装置本体の装着位置に係止固定する係合部６２と、係合突起部５５が硬貨処理装置本体側に形成された傾斜面６１ａに接触した状態で、係合突起部５５を偏倚させながら係合部６２まで案内するガイド部６１を備えている。係合突起部５５には、ペイアウトベース４を収納側にスライドする際に、ペイアウトベース４に対して離脱方向に作用する所定の弾力が付与されている。【選択図】図４
2008140241.tif 000002
【特許請求の範囲】
【請求項１】
硬貨処理装置本体の前面に向かってスライド自在にペイアウトベースを設け、収納された硬貨を払出口に導くように構成された硬貨処理装置において、
前記ペイアウトベースに偏倚可能に設けられた係合突起部と、
前記硬貨処理装置本体側に形成され、前記係合突起部と係合することによって前記ペイアウトベースを前記硬貨処理装置本体の装着位置に係止固定する係合部と、
前記係合突起部が前記硬貨処理装置本体側に形成された傾斜面に接触した状態で、前記係合突起部を偏倚させながら前記係合部まで案内するガイド部、
を備え、
前記係合突起部には、前記ペイアウトベースを収納側にスライドする際に、前記ペイアウトベースに対して離脱方向に作用する所定の弾力が付与されていることを特徴とする硬貨処理装置。
【請求項２】
前記係合突起部は、前記ペイアウトベースの上面から突出するように設けられ、前記傾斜面に対して前記所定の弾力により前記ペイアウトベースのスライド方向と直交する方向に押圧された状態で、前記ガイド部により前記係合部まで案内されることを特徴とする請求項１記載の硬貨処理装置。
【請求項３】
前記係合部およびガイド部は、前記硬貨処理装置本体側の枠板に、前記ペイアウトベースの上面と対向して形成された係合溝であることを特徴とする請求項２記載の硬貨処理装置。
【請求項４】
前記係合突起部は、前記ペイアウトベースの上面でそれぞれ所定距離だけ離れた位置に２本形成され、それぞれが前記所定の弾力により互いに反対方向に押圧されるとともに、前記ペイアウトベースのスライド方向と直交する方向に偏倚可能に設けられていることを特徴とする請求項１記載の硬貨処理装置。
【請求項５】
前記係合突起部は、前記ペイアウトベースに係止されたラッチ部材と一体に構成され、前記ラッチ部材には、前記ペイアウトベースの前面で操作可能な把持部が設けられていることを特徴とする請求項１記載の硬貨処理装置。
【請求項６】
前記係合突起部は、基端が前記ペイアウトベースの前板と一体に形成された弾性部材であって、前記ペイアウトベースのスライド方向に延在する遊端の先端部分が前記ペイアウトベースの上面から突起していることを特徴とする請求項１記載の硬貨処理装置。
【発明の詳細な説明】
【技術分野】
【０００１】
本発明は、硬貨処理装置本体の前面に向かってスライド自在にペイアウトベースを設け、収納された硬貨を払出口に導くように構成された硬貨処理装置に関し、とくにペイアウトベースを硬貨処理装置本体に確実にロックされた状態でセットすることができる硬貨処理装置に関する。
【背景技術】
【０００２】
従来、この種の硬貨処理装置は、投入された硬貨を金種別に収納するコインチューブを有し、釣銭支払を必要とする自動販売機などに設置されていた。こうした硬貨処理装置は、収納された硬貨を釣銭として払い出す際に、釣銭払出機構を駆動してコインチューブから所定の硬貨だけを抜き取り、ペイアウトベースを通じて硬貨の払出口に導くように構成されていた。
【０００３】
このペイアウトベースは、釣銭払出機構と硬貨返却通路の間に配置されて、コインチューブからの硬貨を受け止めている。そのため、硬貨と一緒に運び込まれてコインチューブ内などに堆積した塵埃や、収納された硬貨と構成部品との間の摩耗粉によって、さらには釣銭払出機構自体の不具合によって、払い出すべき釣銭がペイアウトベースと釣銭払出機構との間に詰まる場合があった。
【０００４】
そこで、従来からこうしたコイン詰まりの解消や清掃作業が簡単なコイン処理装置が考えられている（たとえば、特許文献１参照）。このコイン処理装置は、装置本体の前面に向かってスライド自在にペイアウトベース（ボトムベース）を設け、収納された硬貨を払出口に導くように構成されている。そのため、コイン処理装置本体からペイアウトベースを引き出し、あるいは収納するには、単にそれを前後に移動するだけでよい。また、ペイアウトベースの装着時には、係止突起の垂直面を案内穴などの前端に対向させるなどして、ペイアウトベースの前方への移動が規制されている。
【特許文献１】特開２００２−１５０３８９号公報（とくに、段落番号［００２０］〜［００３８］および図２参照）
【発明の開示】
【発明が解決しようとする課題】
【０００５】
こうしたペイアウトベースを硬貨処理装置本体の前方にスライドさせるものでは、ペイアウトベースは装置本体の側板によってスライド自在に保持されつつ、釣銭払出機構と硬貨返却通路の間の正しい装着位置で係止固定されるように構成されている。ところが、硬貨処理装置が自動販売機に内蔵された状態では、この種のペイアウトベースが硬貨処理装置の所定位置まで、しっかりと押し込まれているかどうかの判断が難しいという問題があった。
【０００６】
たとえば夜間などにおける自動販売機の保守点検に際して、正常な状態で硬貨処理装置の所定位置にセットされていないにもかかわらず、すなわちペイアウトベースのフックが未完了のままペイアウトベースをセットしたものと誤って判断し、自動販売機を作動させてしまう場合があった。そのような状態で硬貨処理装置の入出金動作が行われると、釣銭払出口における硬貨詰まりなどが発生するという問題があった。
【０００７】
本発明はこのような点に鑑みてなされたものであり、所定の装着位置にペイアウトベースがセットされたかどうかを確実に判断できる硬貨処理装置を提供することを目的とする。
【課題を解決するための手段】
【０００８】
本発明では、上記問題を解決するために、硬貨処理装置本体の前面に向かってスライド自在にペイアウトベースを設け、収納された硬貨を払出口に導くように構成された硬貨処理装置において、前記ペイアウトベースに偏倚可能に設けられた係合突起部と、前記硬貨処理装置本体側に形成され、前記係合突起部と係合することによって前記ペイアウトベースを前記硬貨処理装置本体の装着位置に係止固定する係合部と、前記係合突起部が前記硬貨処理装置本体側に形成された傾斜面に接触した状態で、前記係合突起部を偏倚させながら前記係合部まで案内するガイド部、を備え、前記係合突起部には、前記ペイアウトベースを収納側にスライドする際に、前記ペイアウトベースに対して離脱方向に作用する所定の弾力が付与されていることを特徴とする硬貨処理装置が提供される。
【０００９】
この硬貨処理装置では、装置本体に対してペイアウトベースが所定の装着位置にセットされていなければ、ペイアウトベースは装置本体の前面から大きく押し出された状態となる。そのため、ペイアウトベースが未装着状態のままであれば、目視によりその状態を確実に把握することができる。
【発明の効果】
【００１０】
本発明によれば、ペイアウトベースが未装着状態であれば、装置本体の前面から大きく押し戻された状態となるので、硬貨処理装置におけるペイアウトベースの装着状態を目視によって確実に判断できるから、ペイアウトベースのフックが未完了のまま自動販売機を作動させるなどの事故を確実に防止できる。
【発明を実施するための最良の形態】
【００１１】
以下、図面を参照してこの発明の実施の形態について説明する。
（第１の実施の形態）
図１ないし図４は、第１の実施の形態に係る硬貨処理装置を示すもので、図１は釣銭払出機構を含む硬貨処理装置の下部構成を示す斜視図、図２は硬貨処理装置から引き出されたペイアウトベースを示す斜視図、図３はペイアウトベースの前板裏側に装着されるラッチ部材を示す斜視図、図４は硬貨処理装置の枠板に配置された係合溝とともにペイアウトベースの一部分を拡大して示す平面図である。
【００１２】
まず、硬貨処理装置の下部に配置された釣銭払出機構について説明する。図１において、駆動モータ１とそれによって駆動されるギヤ機構２は、硬貨処理装置本体１０に装着可能な図示しない硬貨収納部から、その５本の硬貨チューブ（コインチューブ）に収納された金種別の硬貨を選択して払い出す釣銭払出機構を構成している。この釣銭払出機構の下方には、釣銭出口部３を有するペイアウトベース４が設けられている。ペイアウトベース４は、硬貨処理装置本体１０の左右側板１１，１２に前面に向かってスライド自在に配置され、釣銭出口部３から釣銭払出機構で選択された硬貨を返却通路に導くように構成されている。
【００１３】
硬貨処理装置本体１０の左右側板１１，１２には、ペイアウトベース４の上面と対向するように、その釣銭出口部３を塞がない形状を有する上面枠板１３が配置されている。また、これらの左右側板１１，１２の上面には、それぞれ硬貨収納部が係合される係合片１４，１５が形成されていて、これらの係合片１４，１５によってギヤ機構２の前面位置に硬貨収納部が固定されるようになっている。
【００１４】
ペイアウトベース４には、図２にも示すように、左右の側板４１にそれぞれガイド溝４１ａが形成されている。また、硬貨処理装置本体１０の左右側板１１，１２には、それぞれ図示しない内向きの突起が設けられており、これらをペイアウトベース４のガイド溝４１ａなどに係合させることによって、左右側板１１，１２間でペイアウトベース４がスライド自在に支持されている。さらに、左側板１１の手前側には係止孔１１ａが形成され、右側板１２の対応する位置に同様の係止孔（図示せず）が形成され、後述するラッチ部材５の係止突起５１ａ，５２ａがこれらの係止孔１１ａなどに係脱する構成となっている。なお、ペイアウトベース４は、図２に示すように、硬貨処理装置本体１０から完全に引き出すことも可能である。
【００１５】
図２において、ペイアウトベース４の前板４２には、中央部から右寄りの箇所に所定幅で凹部４２ａが形成され、その凹部４２ａに前板４２の面よりも前方に突出することなく操作用の把持部５ａ，５ｂが配置されている。ペイアウトベース４の上面には、係合突起部５５が突出可能な大きさの長円形の開口部４３が、釣銭出口部３の右側に形成されている。さらに、この長円形の開口部４３と釣銭出口部３との中間位置には、丸孔４４が形成されている。なお、これらの把持部５ａ，５ｂはラッチ部材５を操作するためのものである。
【００１６】
把持部５ａ，５ｂを有するラッチ部材５は、図３に示すように、把持部５ａ，５ｂから左右方向に延びる係止片５１，５２、中心部分に軸孔５３ａが配置されたΩ形状の支持片５３、この支持片５３に隣接してロ字形状をなす弾性片５４、および支持片５３とは反対側で弾性片５４に隣接する係合突起部５５が、それぞれ一体のものとして構成されている。係止片５１の先端部分に形成された係止突起５１ａは、ペイアウトベース４の左側板４１に設けた開口４１ｂから突出し、同様に図示しない右側板の開口からは、他方の係止片５２の係止突起５２ａが突出するものである。
【００１７】
すなわち、これらの係止突起５１ａ，５２ａは、ペイアウトベース４の後面側に相当する部分が傾斜面として形成されるとともに、ペイアウトベース４が所定の装着位置にセットされたとき、左右側板１１，１２に形成された係止孔１１ａと係合し、その後に把持部５ａ，５ｂを操作しない限りでペイアウトベース４が所定の装着位置から離脱しないように構成されている。一方、ペイアウトベース４の上面裏側にはラッチ部材５が配置され、図４に示すように、ペイアウトベース４の丸孔４４とラッチ部材５の軸孔５３ａとを貫通する軸部４４ａによって結合される。
【００１８】
開口部４３は、その左右方向の長さＬが係合突起部５５の直径Ｄより大きく形成されている。ここでは、左右方向の長さＬが少なくとも直径Ｄの２倍以上の大きさであることが好ましい。
【００１９】
こうして、ラッチ部材５の把持部５ａ，５ｂは、ペイアウトベース４の前板４２に形成された凹部４２ａ内に配置され、係合突起部５５はペイアウトベース４に形成された開口部４３内でその右端に配置される。ここで、係合突起部５５は弾性片５４によって軸孔５３ａに対して偏倚可能に支持されている。また、この係合突起部５５は、図４に示すように、直径がＤの大きさの中空円柱形状をなし、その上端面のうち、ペイアウトベース４の前面側に相当する半分だけに傾斜面５５ａが形成されている。
【００２０】
硬貨処理装置本体１０の上面枠板１３の裏面には、図４において二点鎖線によって示すように右側板１２に近接して、係合突起部５５と係合する係合溝６が設けられる。この係合溝６は、ガイド部６１および係合部６２が互いに連結された形状に構成され、それらは係合突起部５５がペイアウトベース４から突出する高さに見合うだけの深さ（図１参照）に形成されている。
【００２１】
このうちガイド部６１は、ペイアウトベース４の開口部４３における左右方向の長さＬに対応して左方向に傾いた傾斜面６１ａを有し、係合突起部５５を係合部６２まで傾斜面６１ａに接触した状態で案内するように構成されている。この係合部６２は、ガイド部６１の終端から右方向に、開口部４３の左右方向の長さＬに等しい長さに延長形成されている。また、係合部６２のガイド部６１側における係合溝６の境界部分は、所定の角度に形成された傾斜部６２ａによって区分され、直角段部となっている他の境界部分とは異なって形成されている。
【００２２】
つぎに、以上のような構成のペイアウトベース４を、硬貨処理装置本体１０の左右側板１１，１２の間のスペースに挿入し、所定の装着位置までスライドさせて押し込む作業について説明する。
【００２３】
まず、硬貨処理装置本体１０の左右側板１１，１２間で支持されたペイアウトベース４を収納方向にスライドさせる。係合突起部５５が硬貨処理装置本体１０の前面直近に位置する図１に示す状態から、ペイアウトベース４がさらに押し込まれると、係合突起部５５は係合溝６に係合するようになる。そのとき、係合突起部５５の側面がガイド部６１の傾斜面６１ａと接触した状態となって、係合突起部５５は、弾性片５４の弾力によりペイアウトベース４のスライド方向と直交する方向に押圧される。引き続きペイアウトベース４が押し込まれると、係合突起部５５は、ガイド部６１の傾斜面６１ａに沿って偏倚されていく。一方、ラッチ部材５の係止突起５１ａ，５２ａは、硬貨処理装置本体１０の左右側板１１，１２に傾斜面が当接することによって内方へ偏倚し、さらに左右側板１１，１２の内壁に摺接しながら押し込まれていく。
【００２４】
こうして、ペイアウトベース４を収納方向にさらにスライドさせて、ペイアウトベース４が所定の装着位置まで押し込まれると、係合突起部５５は係合溝６の係合部６２に到達し、これにより、偏倚していた係合突起部５５は開口部４３内で右端位置に復帰する。また、ペイアウトベース４が所定の装着位置にセットされた状態では、ペイアウトベース４はラッチ部材５の係止突起５１ａ，５２ａが硬貨処理装置本体１０の左右側板１１，１２に形成された係止孔１１ａに係合することによって硬貨処理装置本体１０内に係止され、その後は把持部５ａ，５ｂを操作しない限りでペイアウトベース４が装着位置から離脱することはない。
【００２５】
なお、たとえばラッチ部材５の把持部５ａ，５ｂを掴まないままで、図４に示す状態からさらにペイアウトベース４を収納側にスライドさせた場合、係合突起部５５がガイド部６１の傾斜面６１ａに接触した状態で、弾性片５４を圧縮しつつ軸孔５３ａに対して係合突起部５５が偏倚していくが、ここで、係合突起部５５が係合部６２に到達する以前に、ペイアウトベース４を収納側にスライドさせる力が失われたとすると、弾性片５４の弾力が係合突起部５５をガイド部６１の傾斜面６１ａに沿って押し戻す方向に作用する。したがって、ペイアウトベース４が所定の装着位置にセットされる前に手を離して、そこに加わる押し込み力が失われた場合には、必ず図４に示す状態までペイアウトベース４が戻されてしまい、硬貨処理装置本体１０から離脱した半挿入状態になるので、ペイアウトベース４の未装着状態を目視により確実に把握することができる。
【００２６】
このように、ペイアウトベース４を硬貨処理装置本体１０に装着する際に、ラッチ部材５の係止突起５１ａ，５２ａが左右側板１１，１２の係止孔１１ａなどと係合する以前にペイアウトベース４の押圧操作を止めた場合、ペイアウトベースが未装着状態のままであれば、目視によりその状態を確認できる。したがって、誤ってペイアウトベース４を未装着のままで硬貨処理装置の入出金動作を行うなどの、硬貨詰まりを惹き起こすおそれを減らすことができる。
【００２７】
また、硬貨処理装置本体１０からペイアウトベース４を引き出す場合は、ラッチ部材５の把持部５ａ，５ｂを指などに引っ掛け、互いに引き寄せれば、その係止突起５１ａ，５２ａが内側に引き込まれて係止孔１１ａなどとの係合が解除される。その後は、把持部５ａ，５ｂに対して互いに引き寄せる方向の力を加えなくても、単にそれらを掴んで手前に引っ張るだけで、傾斜面５５ａを有する係合突起部５５が簡単に傾斜部６２ａを乗り越え、係合部６２から離脱する。したがって、自動販売機の扉体などに取り付けられている硬貨処理装置を取り外すことなく、ペイアウトベース４だけを小さな力でもって引き出せるから、簡単にコイン詰まりなどの不具合を解消できる。
【００２８】
（第２の実施の形態）
図５ないし図８は、第２の実施の形態に係る硬貨処理装置を示すもので、図５は釣銭払出機構を含む硬貨処理装置の下部構成を示す斜視図、図６は硬貨処理装置から引き出されたペイアウトベースを示す斜視図、図７はペイアウトベースの前板裏側に装着されるラッチ部材を示す斜視図、図８は硬貨処理装置の枠板に配置された係合溝とともにペイアウトベースの一部分を拡大して示す平面図である。
【００２９】
図５において、駆動モータ１とそれによって駆動されるギヤ機構２は、硬貨処理装置本体１０に装着可能な図示しない硬貨収納部から、その５本の硬貨チューブに収納された金種別の硬貨を選択して払い出す釣銭払出機構を構成している。この釣銭払出機構の下方には、第１の実施の形態の硬貨処理装置と同様に、釣銭出口部３を有するペイアウトベース４が設けられている。
【００３０】
硬貨処理装置本体１０の左右側板１１，１２には、ペイアウトベース４の上面と対向するように、その釣銭出口部３を塞がない形状を有する上面枠板１３が配置されるとともに、それらの上面には、ギヤ機構２の前面位置に硬貨収納部を固定する係合片１４，１５が設けられている。また、ペイアウトベース４が左右側板１１，１２間でスライド自在に支持されているなど、第１の実施の形態の硬貨処理装置と基本的構成に変わりはない。
【００３１】
以下に説明するように、第２の実施の形態の硬貨処理装置においては、ペイアウトベース４の上面でそれぞれ所定距離だけ離れた位置に２本の係合突起部５６，５７が配置され、したがって、これらの係合突起部５６，５７と係合する係合溝７の形状およびそれらの配置状態が、第１の実施の形態の構成と異なっている。
【００３２】
図６において、ペイアウトベース４の前板４２には、中央部から右寄りの箇所に所定幅の凹部４２ａが形成され、その凹部４２ａに前板４２の面よりも前方に突出することなく操作用の把持部５ａ，５ｂが配置されている。ペイアウトベース４の左側板４１には、ペイアウトベース４のガイド溝４１ａや開口４１ｂが設けられ、係止突起５１ａが開口４１ｂから側方に突出している。ペイアウトベース４の上面には、釣銭出口部３の右側に長円形の開口部４３が形成されている。この開口部４３からは、係合突起部５６，５７が突出するように配置される。さらに、この釣銭出口部３の右側には、長円形の開口部４３からやや奥に離れた位置に丸孔４４が形成されている。
【００３３】
把持部５ａ，５ｂを有するラッチ部材５は、図７に示すように、把持部５ａ，５ｂから左右方向に延びる係止片５１，５２、軸孔５３ａが中心部分に配置されたΩ形状の支持片５３、この支持片５３の係止片５１，５２との接続部に配置された係合突起部５６，５７が一体のものとして構成されている。ここでは、係合突起部５６，５７がΩ形状の支持片５３の弾力により互いに反対方向に押圧されるとともに、ペイアウトベース４のスライド方向と直交する方向に偏倚可能になっている。このラッチ部材５は、ペイアウトベース４にその丸孔４４に嵌合した軸部をラッチ部材５の軸孔５３ａに貫通させることによって結合される。また、係止片５１，５２の先端部分には係止突起５１ａ，５２ａが設けられ、ペイアウトベース４が所定の装着位置にセットされたとき、左右側板１１，１２に形成された係止孔１１ａと係合して、その後に把持部５ａ，５ｂを操作しない限りでペイアウトベース４が所定の装着位置から離脱しないように構成されている。
【００３４】
図８には、ペイアウトベース４の上面裏側に配置されたラッチ部材５、ラッチ部材５に一体に形成された係合突起部５６，５７、および係合突起部５６，５７が係合する係合溝７の位置関係を示している。
【００３５】
ラッチ部材５の把持部５ａ，５ｂは、ペイアウトベース４の前板４２に形成された凹部４２ａ内に配置され、係合突起部５６，５７はペイアウトベース４に形成された長円形の開口部４３内でその左右端に配置される。すなわち、長円形の開口部４３は、その左右方向の長さがラッチ部材５に形成された２本の係合突起部５６，５７の間隔とほぼ等しい大きさに形成されている。そして、これらの係合突起部５６，５７は、把持部５ａ，５ｂを互いに接近する方向に操作するとき、Ω形状の支持片５３の弾力に抗して開口部４３内で接近する方向に偏倚する。
【００３６】
ここで、係合突起部５６，５７と係合する係合溝７は、上面枠板１３の裏面に係合突起部５６，５７がペイアウトベース４から突出する高さに見合う深さで形成されている。この係合溝７は、図８に示すように、台形状のガイド部７１および長円形の係合部７２が互いに連結された形状であって、台形上底で互いに接近する方向に傾いたガイド部７１の左右の傾斜面７１ａ，７１ｂが、長円形の係合部７２とその長手方向の両端部からやや内側の位置で接続している。
【００３７】
つぎに、以上のような構成のペイアウトベース４を、硬貨処理装置本体１０の左右側板１１，１２間のスペースに挿入して、所定の装着位置までスライドさせて押し込む作業について説明する。
【００３８】
まず、硬貨処理装置本体１０の左右側板１１，１２間で支持されたペイアウトベース４を収納方向にスライドさせる。係合突起部５６，５７が硬貨処理装置本体１０の前面に位置する図５に示す状態から、ペイアウトベース４がさらに押し込まれると、係合突起部５６，５７は係合溝７に係合するようになる。そのとき、係合突起部５６，５７は、その側面がガイド部７１の傾斜面７１ａ，７１ｂとそれぞれ摺接しながら押し込まれるので、係合突起部５６，５７が支持片５３の弾力によりペイアウトベース４のスライド方向と直交する方向に押圧される。引き続きペイアウトベース４が押し込まれると、係合突起部５６，５７は、ガイド部７１の傾斜面７１ａ，７１ｂに沿って偏倚されていき、ラッチ部材５の係止突起５１ａ，５２ａは、第１の実施の形態と同様に、硬貨処理装置本体１０の左右側板１１，１２の内壁に摺接しながら押し込まれていく。
【００３９】
こうして、ペイアウトベース４を収納方向にさらにスライドさせて、ペイアウトベース４が所定の装着位置まで押し込まれると、係合突起部５６，５７は係合溝７の係合部７２に到達し、これにより、偏倚していた係合突起部５６，５７が開口部４３内で両端位置に復帰する。また、ペイアウトベース４が所定の装着位置にセットされた状態では、ペイアウトベース４はラッチ部材５の係止突起５１ａ，５２ａが硬貨処理装置本体１０の左右側板１１，１２に形成された係止孔１１ａに係合することによって硬貨処理装置本体１０内に係止され、その後は把持部５ａ，５ｂを操作しない限りでペイアウトベース４が装着位置から離脱することはない。
【００４０】
いま、たとえばラッチ部材５の把持部５ａ，５ｂを掴まないままで、図８に示す状態からさらにペイアウトベース４を収納側にスライドさせたとする。その場合、係合突起部５６，５７がガイド部７１の傾斜面７１ａ，７１ｂに接触した状態で、支持片５３を圧縮して係合突起部５６，５７が偏倚していく。そこで、係合突起部５６，５７が係合部７２に到達する以前に、ペイアウトベース４を収納側にスライドさせる力が失われると、支持片５３の弾力が係合突起部５６，５７をガイド部７１の傾斜面７１ａ，７１ｂに沿って押し戻す方向に作用する。したがって、ペイアウトベース４が所定の装着位置にセットされる前に手を離して、そこに加わる押圧力が失われた場合には、必ず図８に示す状態までペイアウトベース４が復帰し、硬貨処理装置本体１０から離脱した半挿入状態になる。
【００４１】
この第２の実施の形態では、第１の実施の形態の硬貨処理装置と比較して、ラッチ部材５の構造が簡単になるという利点がある。
（第３の実施の形態）
図９ないし図１１は、第３の実施の形態に係る硬貨処理装置を示すもので、図９は釣銭払出機構を含む硬貨処理装置の下部構成を示す斜視図、図１０は硬貨処理装置から引き出されたペイアウトベースを示す斜視図、図１１は硬貨処理装置の枠板に配置された係合溝とともにペイアウトベースの一部分を拡大して示す平面図である。
【００４２】
第３の実施の形態では、図９に示すように、基端がペイアウトベース４の前板４２と一体をなす弾性部材８を構成し、このペイアウトベース４のスライド方向に延在する弾性部材８の遊端の先端部分にペイアウトベース４の上面から突起するように係合突起部８１を設けたことを特徴としている。
【００４３】
ここで、ラッチ部材５は、図１０に示すように、把持部５ａ，５ｂ、その左右方向に延びる係止片および軸孔が中心部分に配置されたΩ形状の支持片（図示せず）だけが、一体のものとして構成される。このラッチ部材５は、ペイアウトベース４の上面裏側に配置され、図４に示すように、ペイアウトベース４の丸孔４４とラッチ部材５の軸孔とを貫通する軸部４４ａによって結合される。そして、ペイアウトベース４から突出する係合突起部８１は、弾性部材８の遊端の先端部分に設けられていて、ラッチ部材５とは連動しない状態で、硬貨処理装置本体１０の上面枠板１３に形成された係合溝９と係合離脱する。係止突起５１ａ，５２ａは、ペイアウトベース４が所定の装着位置にセットされたとき、左右側板１１，１２に形成された係止孔１１ａなどと係合して、その後に把持部５ａ，５ｂを操作しない限りでペイアウトベース４が所定の装着位置から離脱しないように構成されている。
【００４４】
係合溝９は、図１１に示すように、ガイド部９１および係合部９２が互いに連結された形状に構成され、このうちガイド部９１は、ペイアウトベース４の弾性部材８の長さに応じて左方向に傾いた傾斜面９１ａを有している。また、係合溝９の係合部９２は、そのガイド部９１側における係合溝９の境界部分だけが所定の角度に形成された傾斜部９２ａによって区分され、直角段部となっている他の境界部分とは異なって形成されている。
【００４５】
一方、弾性部材８の先端には、ペイアウトベース４の上面から突出するように係合突起部８１が形成される。また、この弾性部材８の左側には、ペイアウトベース４が部分的に除去された切欠き部４５が設けられている。したがって、係合突起部８１が係合部９２まで傾斜面９１ａに接触した状態で案内されるとき、ガイド部９１の傾斜面９１ａに応じて切欠き部４５内で係合突起部８１が左方向に移動する。なお、この係合突起部８１には、その上端面のうち、ペイアウトベース４の前面側に相当する半分だけに傾斜面８１ａが形成されている。
【００４６】
つぎに、以上のような構成のペイアウトベース４を、硬貨処理装置本体１０の左右側板１１，１２のスペースに挿入して、所定の装着位置までスライドさせて押し込む作業について説明する。
【００４７】
まず、硬貨処理装置本体１０の左右側板１１，１２間で支持されたペイアウトベース４を収納方向にスライドさせる。係合突起部８１が硬貨処理装置本体１０の前面直近に位置する図９に示す状態から、ペイアウトベース４がさらに押し込まれると、係合突起部８１は係合溝９に係合するようになる。ここで、ペイアウトベース４に力を加えて、図１１に示すガイド部９１まで係合突起部８１を押し込むと、係合突起部８１が傾斜面９１ａと接触した状態となって、係合突起部８１が弾性部材８の弾力によりペイアウトベース４のスライド方向と直交する方向に押圧される。さらに、ペイアウトベース４を収納方向にスライドさせると、傾斜面９１ａからの反力を受けつつ、係合突起部８１はガイド部９１の傾斜面９１ａに沿って移動することになる。
【００４８】
ここでは、ペイアウトベース４を収納方向にさらにスライドさせ、係合突起部８１が係合部９２に到達したとき、ペイアウトベース４が所定の装着位置にセットされる。ペイアウトベース４が所定の装着位置にセットされた状態では、ペイアウトベース４はラッチ部材５の係止突起５１ａ，５２ａによって硬貨処理装置本体１０内に係止され、その後は把持部５ａ，５ｂを操作しない限りでペイアウトベース４が装着位置から離脱することはない。
【００４９】
ところが、たとえば係合突起部８１が係合部９２に到達する以前に、ペイアウトベース４を収納側にスライドさせる力が失われると、弾性部材８の弾力が係合突起部８１をガイド部９１の傾斜面９１ａに沿って押し戻す方向に作用する。したがって、ペイアウトベース４が所定の装着位置にセットされる前に手を離して、そこに加わる押圧力が失われた場合には、必ず図１１に示す状態までペイアウトベース４が復帰し、硬貨処理装置本体１０から離脱した半挿入状態になる。
【００５０】
この第３の実施の形態では、第２の実施の形態の硬貨処理装置と比較して、さらにラッチ部材５の構造が簡単になるという利点がある。
【図面の簡単な説明】
【００５１】
【図１】第１の実施の形態に係る硬貨処理装置の下部構成を示す斜視図である。
【図２】図１の硬貨処理装置から引き出されたペイアウトベースを示す斜視図である。
【図３】図２のペイアウトベースの前板裏側に装着されるラッチ部材を示す斜視図である。
【図４】硬貨処理装置の枠板に配置された係合溝とともにペイアウトベースの一部分を拡大して示す平面図である。
【図５】第２の実施の形態に係る硬貨処理装置の下部構成を示す斜視図である。
【図６】図５の硬貨処理装置から引き出されたペイアウトベースを示す斜視図である。
【図７】図６のペイアウトベースの前板裏側に装着されるラッチ部材を示す斜視図である。
【図８】硬貨処理装置の枠板に配置された係合溝とともにペイアウトベースの一部分を拡大して示す平面図である。
【図９】第３の実施の形態に係る硬貨処理装置の下部構成を示す斜視図である。
【図１０】図９の硬貨処理装置から引き出されたペイアウトベースを示す斜視図である。
【図１１】硬貨処理装置の枠板に配置された係合溝とともにペイアウトベースの一部分を拡大して示す平面図である。
【符号の説明】
【００５２】
１  駆動モータ
２  ギヤ機構
３  釣銭出口部
４  ペイアウトベース
５  ラッチ部材
５ａ，５ｂ  把持部
６，７，９  係合溝
８  弾性部材
１０  硬貨処理装置本体
１１，１２  左右側板
１３  上面枠板
１４，１５  係合片
５１，５２  係止片
５３  支持片
５４  弾性片
５５，５６，５７，８１  係合突起部
６１，７１，９１  ガイド部
６１ａ，７１ａ，７１ｂ，９１ａ  傾斜面
６２，７２，９２  係合部
【図１】
2008140241.tif 000003
【図２】
2008140241.tif 000004
【図３】
2008140241.tif 000005
【図４】
2008140241.tif 000006
【図５】
2008140241.tif 000007
【図６】
2008140241.tif 000008
【図７】
2008140241.tif 000009
【図８】
2008140241.tif 000010
【図９】
2008140241.tif 000011
【図１０】
2008140241.tif 000012
【図１１】
2008140241.tif 000013